(57)【要約】【課題】  ＩＴＵ−ＴＴ．３７インターネットファクシミリ装置をＩＣカードによる利用者制限をしたいという要望に対して、安価な方法（市販品の活用と簡単なソフト的な改造のみ）で可能とする。【解決手段】  ＰＣと接続してあるＩＣカードリーダによってＩＣカードから情報を取り込み、ＩＣカードリーダーで読んだデータをＰＣへ取り込み、この情報からＩＤとパスワードを読み取り、読み取ったＩＤとパスワードをテキストデータとして設定してメール形式でインターネットファクシミリ装置へ送信し、インターネットファクシミリ装置では、受信したメールからＩＤとパスワードを読み取り、受信したＩＤとパスワードで利用制限を解除し、操作を可能とし、ＩＣカードによる利用者制限をしたいという要望に対して、安価な方法（市販品活用と簡単なソフト改造のみ）で、それを実現する。【選択図】        図３
2006246273.tif 000002
【特許請求の範囲】
【請求項１】
コンピュータとＵＳＢ等で接続したＩＣカードリーダから情報を前記コンピュータへ取り込み、該取り込んだ情報をメール形式でＩＴＵ−ＴＴ．３７インターネットファクシミリ装置へ通知し、該インターネットファクシミリ装置では前記メール形式で受信した情報が含むＩＤとパスワードで利用制限を解除して操作を可能とすることを特徴とするインターネットファクシミリシステム。
【請求項２】
請求項１のインターネットファクシミリシステムにおいて、前記インターネットファクシミリ装置では、受信した前記情報文を受信と同時には印字出力せず、常に内部メモリにいったん保存することを特徴とするインターネットファクシミリシステム。
【請求項３】
請求項１または２のインターネットファクシミリシステムにおいて、前記インターネットファクシミリ装置ではメールで受信した情報中のＩＤとパスワードで、通信管理情報を出力し、あるいは通信管理情報をメール形式で所定のメールアドレスへ通知することを特徴とするインターネットファクシミリシステム。
【請求項４】
請求項３のインターネットファクシミリシステムにおいて、前記コンピュータと接続してある前記ＩＣカードリーダによってＩＣカードから情報を取り込み、該ＩＣカードリーダーで読んだデータを前記コンピュータへ取り込み、この情報からＩＤとパスワードを読み取り、読み取ったＩＤとパスワードをテキストデータとして設定してメール形式で前記インターネットファクシミリ装置へ送信し、該インターネットファクシミリ装置では、受信したメールからＩＤとパスワードを読み取り、受信したＩＤとパスワードで利用制限を解除し、操作を可能とすることを特徴とするインターネットファクシミリシステム。
【請求項５】
請求項３のインターネットファクシミリシステムにおいて、前記コンピュータ側では、前記ＩＣカードリーダから入力データがあれば使用許可があるかどうかを判断し、使用許可があればテキストメールを作成し、該テキストメールは、本文の１行目が利用者制限解除、２行目がＩＤ、３行目がパスワ−ドであり、送信先を示すＴＯアドレスには前記インタ−ネットファクシミリ装置のメ−ルアドレスを設定し、このような情報を含むメールを前記インタ−ネットファクシミリ装置に対して送信することを特徴とするインターネットファクシミリシステム。
【請求項６】
請求項３のインターネットファクシミリシステムにおいて、前記インターネットファクシミリ装置は、前記コンピュータからメールを受信すると、該受信したメールのテキストの１行目が利用者制限解除かどうかを判断し、そうであれば２、３行目のＩＤとパスワ−ドが一致するかどうかを判断し、一致すれば利用者制限画面から使用可能画面へと遷移して送信操作、送信処理を行うことを特徴とするインターネットファクシミリシステム。
【請求項７】
請求項３のインターネットファクシミリシステムにおいて、前記インターネットファクシミリ装置の受信待機電文出力の処理は、該インターネットファクシミリ装置が前記コンピュータからテキストメ−ルを受信すると、該受信したテキストメ−ルの１行目が受信電文出力かどうかを判断し、そうであればテキストメ−ルの２、３行目のＩＤとパスワ−ドが一致するかどうかを判断し、一致すれば受信出力待機電文有りかどうかを判断し、待機電文があれば受信出力待機電文を出力することを特徴とするインターネットファクシミリシステム。
【請求項８】
請求項１から７のいずれかのインターネットファクシミリシステムにおいて、前記データの送信を、メール形式ではなく、ＦＴＰ、ＨＴＴＰ等のプロトコルを使って前記コンピュータ側から前記インターネットファクシミリ装置伝えることを特徴とするインターネットファクシミリシステム。
【発明の詳細な説明】
【技術分野】
【０００１】
本発明は、ＩＴＵ−ＴＴ．３７インターネットファクシミリ装置あるいは類似の装置（例えばデータ伝送装置、プリンタ等）を用いたインターネットファクシミリシステムに関し、詳細にはそのセキュリティに関する。
【背景技術】
【０００２】
従来、ＩＴＵ−ＴＴ．３７インターネットファクシミリ装置をＩＣカードによる利用者制限をしたいという要望があった場合、インターネットファクシミリ装置を電気的及び機械的に改造して要望に対応していた。つまり、ＩＣカードリーダをファクシミリ装置に組み込んだり、ＩＣカードリーダをファクシミリ装置とハーネスで接続したりする改造を行っていた。このような改造が伴えば、一般的にはコストがかさむものとなっていた。
【特許文献１】特開２０００−２０９３７１号公報
【特許文献２】特開２０００−２３２５６７号公報
【特許文献３】特開平１０−２００６５５号公報
【発明の開示】
【発明が解決しようとする課題】
【０００３】
本発明は上記従来の問題にかんがみ、ＩＣカードによる利用者制限をしたいという要望に対して、安価な方法（市販品の活用と簡単なソフト的な改造のみ）で可能とすることを目的としている。
【課題を解決するための手段】
【０００４】
請求項１に係る本発明のインターネットファクシミリシステムは、コンピュータとＵＳＢ等で接続したＩＣカードリーダから情報を前記コンピュータへ取り込み、該取り込んだ情報をメール形式でＩＴＵ−ＴＴ．３７インターネットファクシミリ装置へ通知し、該インターネットファクシミリ装置では前記メール形式で受信した情報が含むＩＤとパスワードで利用制限を解除して操作を可能とすることを特徴とする。
【０００５】
請求項２に係る本発明のインターネットファクシミリシステムは、請求項１のインターネットファクシミリシステムにおいて、前記インターネットファクシミリ装置では、受信した前記情報文を受信と同時には印字出力せず、常に内部メモリにいったん保存することを特徴とする。
【０００６】
請求項３に係る本発明のインターネットファクシミリシステムは、請求項１または２のインターネットファクシミリシステムにおいて、前記インターネットファクシミリ装置ではメールで受信した情報中のＩＤとパスワードで、通信管理情報を出力し、あるいは通信管理情報をメール形式で所定のメールアドレスへ通知することを特徴とする。
【０００７】
請求項４に係る本発明のインターネットファクシミリシステムは、請求項３のインターネットファクシミリシステムにおいて、前記コンピュータと接続してある前記ＩＣカードリーダによってＩＣカードから情報を取り込み、該ＩＣカードリーダーで読んだデータを前記コンピュータへ取り込み、この情報からＩＤとパスワードを読み取り、読み取ったＩＤとパスワードをテキストデータとして設定してメール形式で前記インターネットファクシミリ装置へ送信し、該インターネットファクシミリ装置では、受信したメールからＩＤとパスワードを読み取り、受信したＩＤとパスワードで利用制限を解除し、操作を可能とすることを特徴とする。
【０００８】
請求項５に係る本発明のインターネットファクシミリシステムは、請求項３のインターネットファクシミリシステムにおいて、前記コンピュータ側では、前記ＩＣカードリーダから入力データがあれば使用許可があるかどうかを判断し、使用許可があればテキストメールを作成し、該テキストメールは、本文の１行目が利用者制限解除、２行目がＩＤ、３行目がパスワ−ドであり、送信先を示すＴＯアドレスには前記インタ−ネットファクシミリ装置のメ−ルアドレスを設定し、このような情報を含むメールを前記インタ−ネットファクシミリ装置に対して送信することを特徴とする。
【０００９】
請求項６に係る本発明のインターネットファクシミリシステムは、請求項３のインターネットファクシミリシステムにおいて、前記インターネットファクシミリ装置は、前記コンピュータからメールを受信すると、該受信したメールのテキストの１行目が利用者制限解除かどうかを判断し、そうであれば２、３行目のＩＤとパスワ−ドが一致するかどうかを判断し、一致すれば利用者制限画面から使用可能画面へと遷移して送信操作、送信処理を行うことを特徴とする。
【００１０】
請求項７に係る本発明のインターネットファクシミリシステムは、請求項３のインターネットファクシミリシステムにおいて、前記インターネットファクシミリ装置の受信待機電文出力の処理は、該インターネットファクシミリ装置が前記コンピュータからテキストメ−ルを受信すると、該受信したテキストメ−ルの１行目が受信電文出力かどうかを判断し、そうであればテキストメ−ルの２、３行目のＩＤとパスワ−ドが一致するかどうかを判断し、一致すれば受信出力待機電文有りかどうかを判断し、待機電文があれば受信出力待機電文を出力することを特徴とする。
【００１１】
請求項８に係る本発明のインターネットファクシミリシステムは、請求項１から７のいずれかのインターネットファクシミリシステムにおいて、前記データの送信を、メール形式ではなく、ＦＴＰ、ＨＴＴＰ等のプロトコルを使って前記コンピュータ側から前記インターネットファクシミリ装置伝えることを特徴とする。
【発明の効果】
【００１２】
本発明は、ＩＴＵ−ＴＴ．３７インターネットファクシミリ装置をＩＣカードによる利用者制限をしたいという要望があった場合、市販品の活用と簡単なソフト的な改造のみで安価に可能とすることができる。
【発明を実施するための最良の形態】
【００１３】
以下本発明を実施するための最良の形態を、図に示す実施例を参照して説明する。
【実施例１】
【００１４】
図１は、インターネットファクシミリ装置の構成ブロック図である。図中１はシステム制御部、２はＦＡＸ操作部、３はスキャナ部、４はプロッタ部、５はメモリ部、６は画像処理部、７は通信制御部、そして８はＬＡＮ制御部である。システム制御部１は、システム全体を制御するユニットであり、ＣＰＵにより制御している。ＦＡＸ操作部２は、オペレータが宛先入力等を行うものである。スキャナ部３は、原稿を光学的に読み取り、電気信号に変換するユニットである。またプロッタ部４は、電気信号を物理的手段により変換し記録紙へ記録するユニット、メモリ部５はシステム制御部のプログラムを格納したり、ワーク用メモリ、画像データ蓄積用メモリ及びそれらを制御するユニットである。
【００１５】
また、画像処理部６は、主として画像データの圧縮、伸長を行うユニットである。そして通信制御部７は、回線へのアクセスと通信プロトコル（Ｇ３／Ｇ４プロトコル）を実行するユニットであり、ＬＡＮ制御部８は、ＬＡＮ回線へのアクセスとプロトコルを実行するユニットである。
【００１６】
図２は本発明の実施対象とするインターネットファクシミリシステムの構成図である。インターネットファクシミリ装置１０及びコンピュータ（以下、ＰＣあるいはＰＣ装置）１１は、それぞれインターネットに適宜のプロバイダ経由で接続され（図ではそれぞれルータ１２、１３を介して接続するように示してある）、ＰＣ１１にはＩＣカードリーダ１４がＵＳＢ等の適宜の手段で接続され、一般的なメールクライアントソフトがインストールされ、メールの送受信ができるようにセットされているものとする。
【００１７】
図３は、ＩＣカードによる利用者制限解除のシーケンス図で、ＩＣカード１５からインターネットファクシミリ装置１０へ、利用者制限解除の情報を伝えるシーケンスを示す。図示のように、ＰＣ１１と接続してあるＩＣカードリーダ１４によってＩＣカード１５から情報を取り込み、ＩＣカードリーダー１４で読んだデータをＰＣ１１へ取り込み（図中（１）ステップ）、この情報からＩＤとパスワードを読み取り（図中（２）ステップ）、読み取ったＩＤとパスワードをテキストデータとして設定してメール形式でインターネットファクシミリ装置１０へ送信する（図中（３）ステップ）。インターネットファクシミリ装置１０では、受信したメールからＩＤとパスワードを読み取り（図中（４）ステップ）、受信したＩＤとパスワードで利用制限を解除し、操作を可能とする（図中（５）ステップ）。したがって、ＩＣカードによる利用者制限をしたいという要望に対して、安価な方法（市販品活用と簡単なソフト改造のみ）で、それを実現することができる。なお図４は、ＩＣカード１５のフォーマット例を示す。
【００１８】
図５はＰＣ１１側のソフトの処理フローを示す。すなわち、ＩＣカードリーダ１４から入力データがあれば（ステップ１）、例えば使用許可のある社員（番号）かどうかを判断し（ステップ２）、許可があればテキストメールを作成する（ステップ３）。テキストメールは、例えば図示の例では、本文の１行目が利用者制限解除、２行目がＩＤ（例えば番号で１２３４）、３行目がパスワ−ド（例えばｐａｓｓ）であり、送信先を示すＴＯアドレスには、インタ−ネットファクシミリ装置１０のメ−ルアドレスを設定する。そしてこのような情報を含むメールをインタ−ネットファクシミリ装置１０に対して送信する（ステップ４）。なお、メール形式ではなく、ＦＴＰ、ＨＴＴＰ等のプロトコルを使ってＰＣ１１側からインターネットファクシミリ装置１０へ情報を伝える手段を採用しても良い。
【００１９】
図６は、インターネットファクシミリ装置１０の処理フローを示す。すなわち、ＰＣ１１からメールを受信すると（ステップ１）、メールのテキストの１行目が利用者制限解除かどうかを判断し（ステップ２）、そうであれば２、３行目のＩＤとパスワ−ドが一致するかどうかを判断し（ステップ３）、一致すれば、例えば利用者制限画面からアイドル画面（使用可能画面）へと遷移して送信操作をし（ステップ４）、送信処理を行い（ステップ５）、送信処理が終了したら（ステップ６）、利用者制限画面へと画面を戻して（ステップ７）、処理を終了する。
【００２０】
図７は、ＩＣカードによるインターネットファクシミリ装置の受信待機電文出力の処理フロー図である。インターネットファクシミリ装置１０は、ＰＣ１１からテキストメ−ルを受信すると（ステップ１）、テキストメ−ルの１行目が受信電文出力かどうかを判断し（ステップ２）、そうであればテキストメ−ルの２、３行目のＩＤとパスワ−ドが一致するかどうかを判断し（ステップ３）、一致すれば受信出力待機電文有りかどうかを判断し（ステップ４）、待機電文があれば受信出力待機電文を出力し（ステップ５）、全待機電文を出力したかどうかを判断し（ステップ６）、全て出力していれば処理を終了する。
【００２１】
図８は、ＩＣカードによるインターネットファクシミリ装置の通信管理情報出力、あるいは通信管理情報メール送信の処理フロー図である。インターネットファクシミリ装置１０では、ＰＣ１１からテキストメ−ルを受信すると（ステップ１）、テキストメ−ルの１行目が通信管理情報出力かどうかを判断し（ステップ２）、そうであればテキストメ−ルの２、３行目のＩＤとパスワ−ドが一致するかどうかを判断し（ステップ３）、一致すれば通信管理情報（通信管理レポ−ト）をプリント出力するか、あるいはメ−ル形式で通信管理情報をテキストメ−ルのＦＲＯＭアドレスへ返送し（ステップ４）、出力が終了したかどうかを判断し（ステップ５）、終了していれば処理を終える。
【図面の簡単な説明】
【００２２】
【図１】インターネットファクシミリ装置の構成ブロック図
【図２】本発明の実施対象とするインターネットファクシミリシステムの構成図
【図３】ＩＣカードによる利用者制限解除のシーケンス図
【図４】ＩＣカードのフォーマット例を示す図
【図５】ＰＣ側のソフトの処理フロー図
【図６】インターネットファクシミリ装置の処理フロー図
【図７】ＩＣカードによるインターネットファクシミリ装置の受信待機電文出力の処理フロー図
【図８】ＩＣカードによるインターネットファクシミリ装置の通信管理情報出力、あるいは通信管理情報メール送信の処理フロー図
【符号の説明】
【００２３】
１：システム制御部
２：ＦＡＸ操作部
３：スキャナ部
４：プロッタ部
５：メモリ部
６：画像処理部
７：通信制御部
８：ＬＡＮ制御部
１０：インターネットファクシミリ装置
１１：コンピュータ（ＰＣあるいはＰＣ装置）
１２、１３：ルータ
１４：ＩＣカードリーダ
１５：ＩＣカード
【図１】
2006246273.tif 000003
【図２】
2006246273.tif 000004
【図３】
2006246273.tif 000005
【図４】
2006246273.tif 000006
【図５】
2006246273.tif 000007
【図６】
2006246273.tif 000008
【図７】
2006246273.tif 000009
【図８】
2006246273.tif 000010